(57)【特許請求の範囲】
【請求項１】
建物の外壁に形成された開口部の内周面と、この開口部に取り付けられるサッシの外周面との間の防水構造であって、
防水シートの屋内側の端縁部をサッシの外周に水密性を有した粘着材により接合する一方、屋外側の端縁部をサッシよりも屋外側位置において開口部の内周面に水密性を有した粘着材により接合し、このようにして、連続した一本の防水シートを、前記開口部の内周面と前記サッシの外周面との間の全周に亘って設けたことを特徴とするサッシ取付部の防水構造。
【請求項２】
前記防水シートの端部同士を重ね合せたことを特徴とする請求項１記載のサッシ取付部の防水構造。
【請求項３】
前記開口部の少なくとも下部を除く三面に、前記サッシよりも屋外側に露出している防水シートを覆う外額縁を設けたことを特徴とする請求項１または２記載のサッシ取付部の防水構造。
【発明の詳細な説明】
【０００１】
【発明の属する技術分野】
本発明は、サッシ取付部の防水構造に関し、特に、建物の外壁に設けた開口部と、この開口部に取り付けたサッシとの間の防水構造に関する。
【０００２】
【従来の技術】
従来、サッシ取付部の防水構造として、例えば、特開平７−１９０１９９号公報に記載のものが知られている。
この従来のサッシ取付部の防水構造は、建物の外壁に設けた開口部に取り付けられるサッシに外壁の外表面と当接する部位を突設し、この外壁の外表面と当接する位置に、複合シール材を設け、この複合シール材を、反発弾性材の周囲を応力緩和部材で囲んで構成した技術について記載されている。この従来技術によれば、サッシ取付時に複合シール材を外壁の外表面に押し当てて圧縮変形させ、その復元力を貯えた状態として複合シール材を外壁に密着させて防水を行う。
【０００３】
【発明が解決しようとする課題】
しかしながら、上述の従来のサッシ取付部の防水構造にあっては、複合シール材を外壁の外表面に当接させてシールを行う構造であるため、複合シール材を当接させる外壁の外表面が凹凸の大きな形状であると、複合シールに外壁の外表面に密着できない部位が生じて防水が困難となるという問題があった。
加えて、サッシに外壁の外表面に当接する部位を突設し、さらにこの部位に複合シールを保持する形状の部分を形成する必要があるため、この構造専用のサッシが必要であり、汎用性に劣るという問題点があった。
本発明は、上述の従来の問題点に着目してなされたもので、防水性能の向上ならびに汎用性の向上を図ることを目的としている。
【０００４】
【課題を解決するための手段】
上述の目的を達成するために請求項１記載の発明では、建物の外壁に形成された開口部の内周面と、この開口部に取り付けられるサッシの外周面との間の防水構造であって、防水シートの屋内側の端縁部をサッシの外周に水密性を有した粘着材により接合する一方、屋外側の端縁部をサッシよりも屋外側位置において開口部の内周面に水密性を有した粘着材により接合し、このようにして、連続した一本の防水シートを、前記開口部の内周面と前記サッシの外周面との間の全周に亘って連続して設けた構造とした。水密性を有した粘着材とは、粘着剤自身および被着体との界面が不透水性であるような粘着材をいう。
また、請求項２記載の発明では、前記防水シートの端部同士を重ね合せ、請求項３記載の発明では、開口部の少なくとも下部を除く三面に、前記サッシよりも屋外側に露出している防水シートを覆う外額縁を設けた。
【０００５】
【作用】
請求項１記載の発明では、開口部の内周面とサッシの外周面との間に、防水シートを粘着材により接合しており、この防水シートならびに粘着材によりサッシと開口部との間のシールがなされる。このように、シール面が外壁に形成されないので、防水性能が外壁外表面の凹凸による影響を受けることがない。また、サッシには防水シートを接合する面が外周面に形成されていればよく、サッシに防水のための特別な形状の部分を形成する必要もない。
また、連続した一本の防水シートを、開口部の内周面と前記サッシの外周面との間の全周に亘って設けたので、防水シートの継ぎ目が一箇所になり、高い防水信頼性が得られる。
請求項２記載の発明では、防水シートの端部同士を重ね合せたので、防水シートの継ぎ目においても高い防水性が得られる。
請求項３記載の発明では、サッシよりも屋外側に露出している防止シートを外額縁で覆い隠した構造としたため、外観品質に優れる。
【０００６】
【発明の実施の形態】
以下に、本発明の実施の形態を図面に基づいて説明する。
まず、実施の形態の構成について説明するが、この説明にあたり、組付作業工程の順番に沿って説明する。
図２は建物の開口部を示す斜視図で、この図は外壁面材１ならびに内壁面材７（図１参照）を取り付ける前の工程において建物外部側から見たものであり、開口縦枠２，２と開口上枠３と開口下枠４とで開口部５を囲んでいる。そして、この段階で、開口部５の周縁部であって外壁面材１の端縁部が被さる部位に両面接着のブチルゴムテープ６が貼り付けられる。なお、開口部５の周縁のコーナ部ではブチルゴムテープ６を重ね貼りする。
【０００７】
図３は開口部５の室内側からの斜視図であり、図２と同工程、すなわち、外壁面材１ならびに内壁面材７を取り付ける前の工程のもので、内壁面材７に覆われる部位に気密シート８が貼り付けられる。この時、開口部５の部分では気密シート８を切断し、図示のように開口部５の内周にも気密シート８を貼り付ける。なお、この気密シート８としては、不織布などを用いる。
【０００８】
次に、図４は開口部５に取り付けられるサッシ９を示す図であり（ａ）は正面図、（ｂ）はそのＳ４ｂ−Ｓ４ｂ断面図であって、前記サッシ９は、木製のもので、サッシ縦枠９ａ，９ａとサッシ上枠９ｂとサッシ下枠９ｃとで構成されている。このサッシ９の前記開口部５への取り付けは、図１に示すようにスクリューネジ１０によりなされ、各枠９ａ，９ｂ，９ｃには前記スクリューネジ１０を貫通させるための長孔９ｄが２か所づつ設けられている。また、各サッシ縦枠９ａ，９ａおよびサッシ上枠９ｂには、内外に溝条９ｅ，９ｅが長手方向に形成されている。なお、図４においては、同図（ｂ）に、サッシ上枠９ｂに形成されている溝条９ｅを示している。また、前記サッシ９には、窓１１（図５参照）が取り付けられている。
【０００９】
次に、図５はサッシ９ならびに窓１１を示す斜視図であり、各サッシ縦枠９ａ，９ａおよびサッシ上枠９ｂに形成した溝条９ｅ内に略１０mm角の矩形断面のブチルゴムロッド１２を貼り付ける。このブチルゴムロッド１２は、ポリマ発泡体などの弾性体を芯材としてその周囲に応力緩和および接着可能なブチルゴムを設けて構成した巻物であって、上下に離型フィルム１２ａが設けられている。
そして、（ａ）に示すように、前記溝条９ｅにブチルゴムロッド１２を貼り付け、さらに外周の離型フィルム１２ａを剥した後に、サッシ９の全周すなわち、両サッシ縦枠９ａおよびサッシ上枠９ｂとサッシ下枠９ｃの外周に防水シート１３を貼り付け、最後に、防水シート１３の端部同士をサッシ縦枠９ａの位置で重ね合わせる。この防水シート１３は、前記サッシ９よりも幅広で、一側面（サッシ９に貼り付ける側の面）が加硫ブチルゴムとＥＰＤＭ（エチレンプロピレンジエンモノマー）の配合によるゴム面で他側面がクロス面となった厚さ０．５mmのシートであり、図６に示すようにゴム面の一端縁部にブチルゴムテープ１３ａが設けられているとともに、クロス面の他端縁部にブチルゴムテープ１３ｂが設けられており、この防水シート１３の全幅の略半分ほどの幅がサッシ９から外方に突出するように、防水シート１３の両面接着テープ１３ａをサッシ９の中間部に接着させている。なお、前記ブチルゴムテープ１３ａ，１３ｂの表面は離型フィルム１３ｃで覆われている。ここでブチルゴムテープ１３ａは厚み０．３mm、ブチルゴムテープ１３ｂは厚み１mmのブチルゴムテープを用いる。ブチルゴムテープ１３ｂの厚みを大きくしたのは、開口内周面に存在する段差に追従しやすくするためである。
また、上述のように防水シート１３をサッシ９に貼り付けるにあたり、図７（ａ）（ｂ）に示すように、サッシ９のコーナ部には、防水シート１３を１０〜１２mmほどの幅で折り返した摘み部１３ｅを設けて、この摘み部１３ｅをサッシ９にタッカ止めする。これは剥れ防止の役目を果たす。
【００１０】
次に、図８ならびに図９に示すように、外壁面材１および内壁面材７を取り付けた後、開口部５の内周に前記サッシ９を設置して、前記防水シート１３のブチルゴムテープ１３ｂを各開口枠２，２，３，４に接着する。ところで、図８に示すとおり、本実施の形態では開口縦枠２とサッシ縦枠９ａとの間に合板１４を介在させるようにしているが、この合板１４は設けなくてもよい。ちなみに、開口上枠３とサッシ上枠９ｂとの間も同様の構成であるので、符号のみカッコ内に示して説明を省略するが、この部位では、合板１４は設けない。
なお、図１に概略を示すとおり、サッシ９を設置する際にサッシ９の外周と開口部５の内周との間には、気密および断熱のためにグラスウール、気密コーキング、およびウレタン発泡材を介在させたシール層２３を設けている。
【００１１】
そして、前記サッシ９を設置したら、図１０に示すように、まず、開口部５の下部にアルミニウム製の窓下水切２４を取り付ける。すなわち、図１に示すように、前記開口部５のすぐ下の位置の外壁面材１に受材２５をビス止めし、前記窓下水切２４の下部を受材２５に係合させるとともに、その上部をサッシ９にビス止めする。その後、窓下水切２４にビスカバー２６を装着してビス止め部分を覆い隠す。なお、この窓下水切２４の左右両端部には立上部２４ａが立設されており、この立上部２４ａを開口縦枠２の上の防水シート１３に当接させ、その上から図１０に示すようにブチルゴムテープ２７を貼り付けて開口縦枠２に固定させている。
最後に、図１に示すように、開口縦枠２，２および開口上枠３に接着されている防水シート１３を覆い隠すべく外額縁２８をスクリューネジ２９で開口部５に固定し、また、室内側にも四周に内側額縁３０を固定する。
以上の工程により組み付けを終了した状態を示すのが図１の断面図である。
【００１２】
以上説明した実施の形態では、サッシ９の外周に一端縁を貼り付けた防水シート１３の他端縁を開口部５の内周面、すなわち、開口縦枠２，２および開口上枠３と開口下枠４の表面に貼り付けてこの間の防水を行うように構成したため、その防水性能が外壁面材１の表面の凹凸による影響を受けることがなく、高い防水性能が得られるという効果、ならびに、このような構造を採用するにあたりサッシ９は、その外表面に防水シート１３を貼り付ける平面が必要なだけであるから、この構造を適用するための専用の形状に形成する必要がなく汎用性が高いという効果が得られる。
また、連続した一本の防水シート１３を、開口部５の内周面とサッシ９の外周面との間の全周に亘って設け、防水シート１３の継ぎ目を一箇所にし、しかも防水シート１３の端部同士を重ね合わせたので、高い防水信頼性が得られる。
さらに、本実施の形態では、防水シート１３を貼り付ける部位のサッシ９の外周にブチルゴムロッド１２を設けて、サッシ９と防水シート１３とがブチルゴムロッド１２を介して確実に密着するように構成したため、さらに高い防水性能が得られる。
加えて、本実施の形態では、防水シート１３をサッシ９に貼り付けるにあたって、コーナ部において、図７に示すように摘み部１３ｅを形成してこれをタッカ止めするように構成したため、組付作業時において、あるいは経年劣化によって防水シート１３がサッシ９から剥れるのを防止することができるという効果が得られる。
また、開口部５の下端部左右のコーナ部にあっては、防水シート１３の上に図１０に示すように、窓下水切２４の立ち上げ部２４ａを被せてその上からブチルゴムテープ２７を貼り付けるように構成したため、このコーナ部において高い防水性能が得られる。
【００１３】
以上、実施の形態を図面により説明してきたが、本発明はこの実施の形態に限定されるものではなく、例えば、サッシの形状や素材は任意であり、実施の形態では木製のものを示したが、アルミニウム製などのものにも適用できる。
また、実施の形態では、防水シート１３とサッシ９との間にブチルゴムロッド１２を設けて高い防水性能が得られるようにしたが、このブチルゴムロッド１２は設けなくても所期の防水性能は充分に得られる。
【００１４】
【発明の効果】
以上説明してきたように請求項１記載の発明にあっては、開口部の内周面とサッシの外周面との間に、防水シートを粘着材により接合しており、この防水シートならびに粘着材によりサッシと開口部との間のシールを行う構造としたため、シール面が外壁に形成されず、防水性能が外壁外表面の凹凸による影響を受けることがなく、高い防水性能が安定して得られるという効果を奏するとともに、サッシには防水シートを接合する面が外周面に形成されていればよくサッシに防水のための特別な形状の部分を形成する必要がないため、既存のサッシを用いることができ、高い汎用性が得られるという効果を奏する。さらに、連続した一本の防水シートを、開口部の内周面と前記サッシの外周面との間の全周に亘って設けたので、防水シートの継ぎ目が一箇所になり、高い防水信頼性が得られるという効果を奏する。
請求項２記載の発明では、防水シートの端部同士を重ね合せたので、防水シートの継ぎ目においても高い防水性が得られるという効果を奏する。
請求項３記載の発明では、サッシよりも屋外側に露出している防水シートを外額縁で覆い隠した構造としたため、外観品質に優れるという効果が得られる。
【図面の簡単な説明】
【図１】実施の形態のサッシ取付部の防水構造を示す縦断面図である。
【図２】建物の開口部の構造を示す屋外側からの斜視図である。
【図３】建物の開口部の構造を示す屋内側からの斜視図である。
【図４】（ａ）サッシの正面図、（ｂ）サッシの縦断面図（Ｓ４ｂ−Ｓ４ｂ断面図）である。
【図５】（ａ）、（ｂ）共にサッシの斜視図である。
【図６】サッシの要部の断面図である。
【図７】サッシの要部の斜視図である。
【図８】実施の形態の要部の横断面図である。
【図９】実施の形態の要部の斜視図である。
【図１０】実施の形態の要部の斜視図である。
【符号の説明】
１  外壁面材
２  開口縦枠
３  開口上枠
４  開口下枠
５  開口部
６  ブチルゴムテープ
７  内壁面材
８  気密シート
９  サッシ
９ａ  サッシ縦枠
９ｂ  サッシ上枠
９ｃ  サッシ下枠
１３  防水シート
１３ａ  ブチルゴムテープ（粘着材）
１３ｂ  ブチルゴムテープ（粘着材）
２４  窓下水切
２４ａ  立上部
２８  外額縁
３０  内額縁
【図１】
0003715756.tif 000002
【図２】
0003715756.tif 000003
【図３】
0003715756.tif 000004
【図４】
0003715756.tif 000005
【図５】
0003715756.tif 000006
【図６】
0003715756.tif 000007
【図７】
0003715756.tif 000008
【図８】
0003715756.tif 000009
【図９】
0003715756.tif 000010
【図１０】
0003715756.tif 000011